(57)【要約】【課題】デジタル放送の受信時における画面フリーズに対処すること。【解決手段】アンテナ１０、チューナ１１によってデジタル放送を受信し、復調、選別、デコードした後、ジャンル特定部３１によって放送内容のジャンルを特定し、特定したジャンルからフリーズ開始閾値およびフリーズ終了閾値を設定する。フリーズ処理部３２は、このフリーズ開始閾値およびフリーズ終了閾値を用いてフリーズ処理の開始や終了を判定する。さらに、フリーズ処理の実行中は、表示制御部３４が、ユーザから識別可能な変化を行なうフリーズ通知表示を表示画面に表示する。【選択図】        図１
2005260605.tif 000002
【特許請求の範囲】
【請求項１】
デジタル放送を受信するデジタル放送受信装置であって、
前記デジタル放送の受信状態をもとに出力映像のフリーズ処理の開始および終了を判定するフリーズ判定手段と、
前記フリーズ処理を実行中である場合に、表示画面にユーザから識別可能な変化を行なうフリーズ通知表示を表示する表示制御手段と、
を備えたことを特徴とするデジタル放送受信装置。
【請求項２】
前記フリーズ通知画面は、文字および／または図案によってフリーズ処理中であることを通知するメッセージ表示であり、前記表示制御手段は、前記メッセージ表示の表示内容、表示位置、表示輝度、表示色のうち、少なくとも一つをユーザから識別可能に変化させることを特徴とする請求項１に記載のデジタル放送受信装置。
【請求項３】
前記表示制御手段は、前記フリーズ通知表示として擬似ノイズ画面を作成し、該擬似ノイズ画面をユーザから識別可能に変化させることを特徴とする請求項１または２に記載のデジタル放送受信装置。
【請求項４】
前記表示制御手段は、前記デジタル放送の受信状態を前記フリーズ通知表示として表示し、当該表示の内容をユーザから識別可能に変化させることを特徴とする請求項１，２または３に記載のデジタル放送受信装置。
【請求項５】
前記表示制御手段は、前記フリーズ通知表示として受信した映像の強制的な更新を実行することを特徴とする請求項１〜４のいずれか一つに記載のデジタル放送受信装置。
【請求項６】
前記表示制御手段は、前記フリーズ判定手段が前記フリーズ処理を開始した後、受信した映像が一画面分に達した場合に表示する映像を更新することを特徴とする請求項１〜５のいずれか一つに記載のデジタル放送受信装置。
【請求項７】
受信したデジタル放送の放送内容を特定する内容特定手段をさらに備え、前記フリーズ判定手段は、前記放送内容に基づいて前記フリーズ処理の開始判定に用いる開始閾値を変更することを特徴とする請求項１〜６のいずれか一つに記載のデジタル放送受信装置。
【請求項８】
受信したデジタル放送の放送内容を特定する内容特定手段をさらに備え、前記フリーズ判定手段は、前記放送内容に基づいて前記フリーズ処理の終了判定に用いる終了閾値を変更することを特徴とする請求項１〜７のいずれか一つに記載のデジタル放送受信装置。
【請求項９】
前記終了閾値は、前記開始閾値に比して低いことを特徴とする請求項８に記載のデジタル放送受信装置。
【発明の詳細な説明】
【技術分野】
【０００１】
この発明は、デジタル放送を受信するデジタル放送受信装置に関し、特に、車両などの移動体に設置されるなど受信状態が変動する状態で使用可能なデジタル放送受信装置に関する。
【背景技術】
【０００２】
近年、映像番組をデジタル化して放送するデジタルテレビ放送が実用化されている。デジタル放送では、高画質化、多チャンネル化、双方向化が実現できるという利点があるので、従来から衛星デジタル放送が行われているのに加え、地上波アナログ放送をデジタル放送に移行させるなどその利用が広がっている（例えば、特許文献１参照。）。
【０００３】
【特許文献１】特開２００１−２８５７５２号公報
【発明の開示】
【発明が解決しようとする課題】
【０００４】
ところで、デジタル放送では放送内容をＴＳパケットとして送信し、受信装置側ではこのＴＳパケットをデコードして映像を再構成している。
【０００５】
しかし、電波の受信状態が不充分である場合などには、受信するＴＳパケットに欠落や誤りが発生することがある。かかる状況では、再構成した映像は不完全なものとなり、正常な再生が行われない。
【０００６】
そこで、従来からデジタル放送受信装置では、正常な再生が不可能である場合に再生を停止するフリーズ処理を実行し、充分な受信状態が確保できた場合に映像再生を再開するようにしている。このフリーズ処理によって映像再生を停止した場合、従来のデジタルテレビ受信装置では、表示画面がフリーズ処理の開始時点の内容で静止する。
【０００７】
この処理は、既に述べたように電波の受信状態の悪化によるものであり、デジタル放送受信装置自体は正常に稼動している。しかし、表示画面が静止しているためにユーザからは受信状態が悪化したのか、デジタル放送受信装置に動作異常が発生したのかの判断がつかない。
【０００８】
とりわけ、アナログ放送の受信では受信状態の悪化は表示画面の劣化として現れ、受信が全くできない状態でも表示画面にノイズが表示される。このノイズ画面の変化がユーザに視認可能であるために、アナログ放送の視聴に慣れたユーザには、表示画面の静止は違和感が大きく、デジタル放送受信装置の動作異常を懸念させるものとなる。さらに、フリーズ開始時点が表示画面の書き換え途中である場合には、画面の上下で異なる映像が表示されることとなり、ユーザの違和感は一層大きくなる。
【０００９】
したがって、デジタル放送の受信においては、フリーズ処理時におけるユーザの違和感を軽減し、受信装置側の動作異常が発生したとの懸念を取り除くことが重要な課題であった。
【００１０】
特に、車載テレビなど移動体に搭載されたデジタル放送受信装置では、移動に伴って電波の受信状態が変動するため、フリーズ処理の発生頻度が高くなるので、かかる問題の解決が重要となる。
【００１１】
この発明は、上述した従来技術による問題点を解消し、課題を解決するためになされたものであり、フリーズ処理時におけるユーザの違和感を軽減し、受信装置側の動作異常が発生したとの懸念を取り除くことのできるデジタル放送受信装置を提供することを目的とする。
【課題を解決するための手段】
【００１２】
上述した課題を解決し、目的を達成するため、請求項１の発明に係るデジタル放送受信装置は、デジタル放送を受信するデジタル放送受信装置であって、前記デジタル放送の受信状態をもとに出力映像のフリーズ処理の開始および終了を判定するフリーズ判定手段と、前記フリーズ処理を実行中である場合に、表示画面にユーザから識別可能な変化を行なうフリーズ通知表示を表示する表示制御手段と、を備えたことを特徴とする。
【００１３】
この請求項１の発明によればデジタル放送受信装置は、デジタル放送の受信状態をもとに出力映像のフリーズ処理の開始および終了を判定し、フリーズ処理を実行中である場合に、表示画面にユーザから識別可能な変化を行なうフリーズ通知表示を表示する。
【００１４】
また、請求項２の発明に係るデジタル放送受信装置は、請求項１の発明において、前記フリーズ通知画面は、文字および／または図案によってフリーズ処理中であることを通知するメッセージ表示であり、前記表示制御手段は、前記メッセージ表示の表示内容、表示位置、表示輝度、表示色のうち、少なくとも一つをユーザから識別可能に変化させることを特徴とする。
【００１５】
この請求項２の発明によればデジタル放送受信装置は、デジタル放送の受信状態をもとに出力映像のフリーズ処理の開始および終了を判定し、フリーズ処理を実行中である場合に、文字および／または図案によってフリーズ処理中であることを通知するメッセージ表示を行い、メッセージ表示の表示内容、表示位置、表示輝度、表示色のうち、少なくとも一つをユーザから識別可能に変化させる。
【００１６】
また、請求項３の発明に係るデジタル放送受信装置は、請求項１または２の発明において、前記表示制御手段は、前記フリーズ通知表示として擬似ノイズ画面を作成し、該擬似ノイズ画面をユーザから識別可能に変化させることを特徴とする。
【００１７】
この請求項３の発明によればデジタル放送受信装置は、デジタル放送の受信状態をもとに出力映像のフリーズ処理の開始および終了を判定し、フリーズ処理を実行中である場合に、フリーズ通知表示として擬似ノイズ画面を作成し、擬似ノイズ画面をユーザから識別可能に変化させる。
【００１８】
また、請求項４の発明に係るデジタル放送受信装置は、請求項１，２または３の発明において、前記表示制御手段は、前記デジタル放送の受信状態を前記フリーズ通知表示として表示し、当該表示の内容をユーザから識別可能に変化させることを特徴とする。
【００１９】
この請求項４の発明によればデジタル放送受信装置は、デジタル放送の受信状態をもとに出力映像のフリーズ処理の開始および終了を判定し、フリーズ処理を実行中である場合に、フリーズ通知表示としてデジタル放送の受信状態を表示してその内容をユーザから識別可能に変化させる。
【００２０】
また、請求項５の発明に係るデジタル放送受信装置は、請求項１〜４の発明において、前記表示制御手段は、前記フリーズ通知表示として受信した映像の強制的な更新を実行することを特徴とする。
【００２１】
この請求項５の発明によればデジタル放送受信装置は、デジタル放送の受信状態をもとに出力映像のフリーズ処理の開始および終了を判定し、フリーズ処理を実行中である場合に、フリーズ通知表示として受信した映像の強制的な更新を実行する。
【００２２】
また、請求項６の発明に係るデジタル放送受信装置は、請求項１〜５の発明において、前記表示制御手段は、前記フリーズ判定手段が前記フリーズ処理を開始した後、受信した映像が一画面分に達した場合に表示する映像を更新することを特徴とする。
【００２３】
この請求項６の発明によればデジタル放送受信装置は、デジタル放送の受信状態をもとに出力映像のフリーズ処理の開始および終了を判定し、フリーズ処理を開始した後、受信した映像が一画面分に達した場合に表示する映像を更新する。
【００２４】
また、請求項７の発明に係るデジタル放送受信装置は、請求項１〜６の発明において、受信したデジタル放送の放送内容を特定する内容特定手段をさらに備え、前記フリーズ判定手段は、前記放送内容に基づいて前記フリーズ処理の開始判定に用いる開始閾値を変更することを特徴とする。
【００２５】
この請求項７の発明によればデジタル放送受信装置は、受信したデジタル放送の放送内容を特定し、特定した放送内容に基づいてフリーズ処理の開始判定に用いる開始閾値を変更し、変更した閾値とデジタル放送の受信状態とをもとに出力映像のフリーズ処理の開始を判定する。
【００２６】
また、請求項８の発明に係るデジタル放送受信装置は、請求項１〜７の発明において、受信したデジタル放送の放送内容を特定する内容特定手段をさらに備え、前記フリーズ判定手段は、前記放送内容に基づいて前記フリーズ処理の終了判定に用いる終了閾値を変更することを特徴とする。
【００２７】
この請求項８の発明によればデジタル放送受信装置は、受信したデジタル放送の放送内容を特定し、特定した放送内容に基づいてフリーズ処理の終了判定に用いる終了閾値を変更し、変更した閾値とデジタル放送の受信状態とをもとに出力映像のフリーズ処理の終了を判定する。
【００２８】
また、請求項９の発明に係るデジタル放送受信装置は、請求項８の発明において、前記終了閾値は、前記開始閾値に比して低いことを特徴とする。
【００２９】
この請求項９の発明によればデジタル放送受信装置は、開始閾値に比して低い終了閾値を用いてフリーズ処理の終了判定を実行する。
【発明の効果】
【００３０】
請求項１の発明によればデジタル放送受信装置は、デジタル放送の受信状態をもとに出力映像のフリーズ処理の開始および終了を判定し、フリーズ処理を実行中である場合に、表示画面にユーザから識別可能な変化を行なうフリーズ通知表示を表示するので、フリーズ処理時におけるユーザの違和感を軽減し、受信装置側の動作異常が発生したとの懸念を取り除くデジタル放送受信装置を得ることができるという効果を奏する。
【００３１】
また、請求項２の発明によればデジタル放送受信装置は、デジタル放送の受信状態をもとに出力映像のフリーズ処理の開始および終了を判定し、フリーズ処理を実行中である場合に、文字および／または図案によってフリーズ処理中であることを通知するメッセージ表示を行い、メッセージ表示の表示内容、表示位置、表示輝度、表示色のうち、少なくとも一つをユーザから識別可能に変化させるので、フリーズ処理時におけるユーザの違和感を軽減し、受信装置側の動作異常が発生したとの懸念を取り除くデジタル放送受信装置を得ることができるという効果を奏する。
【００３２】
また、請求項３の発明によればデジタル放送受信装置は、デジタル放送の受信状態をもとに出力映像のフリーズ処理の開始および終了を判定し、フリーズ処理を実行中である場合に、フリーズ通知表示として擬似ノイズ画面を作成し、擬似ノイズ画面をユーザから識別可能に変化させるので、フリーズ処理時の表示をアナログ放送の受信時に似せてユーザの違和感を軽減し、受信装置側の動作異常が発生したとの懸念を取り除くデジタル放送受信装置を得ることができるという効果を奏する。
【００３３】
また、請求項４の発明によればデジタル放送受信装置は、デジタル放送の受信状態をもとに出力映像のフリーズ処理の開始および終了を判定し、フリーズ処理を実行中である場合に、フリーズ通知表示としてデジタル放送の受信状態を表示してその内容をユーザから識別可能に変化させるので、フリーズ処理時におけるユーザの違和感を軽減し、受信装置側の動作異常が発生したとの懸念を取り除くデジタル放送受信装置を得ることができるという効果を奏する。
【００３４】
また、請求項５の発明によればデジタル放送受信装置は、デジタル放送の受信状態をもとに出力映像のフリーズ処理の開始および終了を判定し、フリーズ処理を実行中である場合に、フリーズ通知表示として受信した映像の強制的な更新を実行するので、フリーズ処理時におけるユーザの違和感を軽減し、受信装置側の動作異常が発生したとの懸念を取り除くデジタル放送受信装置を得ることができるという効果を奏する。
【００３５】
また、請求項６の発明によればデジタル放送受信装置は、デジタル放送の受信状態をもとに出力映像のフリーズ処理の開始および終了を判定し、フリーズ処理を開始した後、受信した映像が一画面分に達した場合に表示する映像を更新するので、フリーズ処理時における画面の不均衡を解消し、もってユーザの違和感を軽減するデジタル放送受信装置を得ることができるという効果を奏する。
【００３６】
また、請求項７の発明によればデジタル放送受信装置は、受信したデジタル放送の放送内容を特定し、特定した放送内容に基づいてフリーズ処理の開始判定に用いる開始閾値を変更し、変更した閾値とデジタル放送の受信状態とをもとに出力映像のフリーズ処理の開始を判定するので、放送内容に適応したフリーズ処理を実現するデジタル放送受信装置を得ることができるという効果を奏する。
【００３７】
また、請求項８の発明によればデジタル放送受信装置は、受信したデジタル放送の放送内容を特定し、特定した放送内容に基づいてフリーズ処理の終了判定に用いる終了閾値を変更し、変更した閾値とデジタル放送の受信状態とをもとに出力映像のフリーズ処理の終了を判定するので、放送内容に適応したフリーズ処理を実現するデジタル放送受信装置を得ることができるという効果を奏する。
【００３８】
また、請求項９の発明によればデジタル放送受信装置は、開始閾値に比して低い終了閾値を用いてフリーズ処理の終了判定を実行するので、安定したフリーズ処理を実現するデジタル放送受信装置を得ることができるという効果を奏する。
【発明を実施するための最良の形態】
【００３９】
以下に添付図面を参照して、この発明に係るデジタル放送受信装置の好適な実施例である車載用のデジタルテレビ受信機について説明する。
【実施例】
【００４０】
図１は、本発明の実施例である車載用のデジタルテレビ受信機１の概要構成を示す概要構成図である。同図に示すように、デジタルテレビ受信機１は、アンテナ１０、チューナ１１、ＯＦＤＭ復調部１２、復号処理部１３、ＳＤＲＡＭ１４、ＡＡＣデコーダ１５、提示処理部１６、Ｎｔｓｃエンコーダ１７、ビデオＤＡＣ１８、オーディオＤＡＣ１９、ジャンル検知部３１およびフリーズ処理部３２を有する。
【００４１】
チューナ１１は、アンテナ１０が受信した電波から指定された周波数の信号を選局してＯＦＤＭ復調部１２に出力する。
【００４２】
デジタルテレビ放送では、変調方式としてＯＦＤＭ（直交周波数分割多重）が採用されている。そこで、ＯＦＤＭ復調部１２は、チューナが選局した信号に対してＯＦＤＭ復調を施し、ＴＳパケットを取り出して復調処理部１３に出力する。
【００４３】
復調処理部１３は、その内部にＴＳ−ＤｅＭＵＸ２１およびＭＰＥＧ２デコーダ２２を有する。ＴＳ−ＤｅＭＵＸ２１は、ＯＦＤＭ復調部１２が出力したＴＳパケットから、必要とするパケットを選別するフィルタリングを行なう。
【００４４】
また、ＴＳ−ＤｅＭＵＸ２１は、取り出したＴＳバケットが音声を符号化したデータである場合には、そのパケットをＡＡＣデコーダ１５に出力し、取り出したＴＳパケットが映像を符号化したデータである場合には、そのパケットをＭＰＥＧ２デコーダ２２に出力する。
【００４５】
デジタルテレビ放送では、映像はＭＰＥＧ（Moving Picture Experts Group）２規格によって、音声はＡＡＣ（Advanced Audio Coding）規格によって符号化されている。そこで、ＭＰＥＧ２デコーダ２２は、同規格に従って映像データを復号し、ＡＡＣデコーダ１５は、同規格に従って音声データを復号する。
【００４６】
提示処理部１６は、データ放送に対応する処理部であり、受信したチャンネルがデータ放送を行なっている場合には、出力する映像の内容をデータ放送に対応した映像に再構成する処理を行なう。
【００４７】
Ｎｔｓｃエンコーダ１７は、映像データをＮｔｓｃ（National Television Standards Committee）形式にエンコードして外部に出力する。一方、ビデオＤＡＣ１８は、映像データをデジタル信号からアナログ信号に変換して出力する。このビデオＤＡＣ１８からの出力は、デジタルテレビ受信機１と一体に形成された図示しないディスプレイなどで使用する。また、オーディオＤＡＣ１９は、音声データをデジタル信号からアナログ信号に変換して出力する。
【００４８】
また、ＳＤＲＡＭ（Synchronous DRAM）１４は、ＭＰＥＧ２デコーダ２２によって復号された映像データを一時的に記憶する記憶手段として機能する。
【００４９】
従来のデジタルテレビ受信機では、受信状態が悪化した場合など、正常な再生が不可能である場合には、このＳＤＲＡＭ１４に記憶する映像データの更新を停止することでフリーズ処理を実現していた。したがって、後段のＮｔｓｃエンコーダ１７やビデオＤＡＣ１８から出力される映像は、更新が停止したＳＤＲＡＭ１４の映像データであった。
【００５０】
一方、本発明にかかるデジタルテレビ受信機１では、ＳＤＲＡＭ１４は、フリーズ処理が実行中であるか否に関わらず映像データの更新を実行する。そして、フリーズ処理の実行時における表示画面の制御は、フリーズ処理部３２によって行なう。
【００５１】
フリーズ処理部３２は、その内部にフリーズ判定部３３および表示制御部３４を有する。フリーズ判定部３３は、受信状態などをもとにフリーズ処理の開始判定と終了判定とを行なう。また、表示制御部３４は、フリーズ判定部３２によってフリーズ処理の開始が判定された場合に、Ｎｔｓｃエンコーダ１７およびビデオＤＡＣ１８に出力する映像を制御するとともに、オーディオＤＡＣ１９に出力する音声を制御する。
【００５２】
つぎに、フリーズ判定部３３による判定処理についてさらに説明する。フリーズ判定部３３は、具体的には、誤りの発生したＴＳパケットの数に基づいてフリーズ処理の開始および終了を判定する。
【００５３】
ＴＳパケットは、図２に示すように、ヘッダとペイロード（もしくはアダプテーションフィールド）から構成されている。ペイロードは、映像や音声などを格納する。また、ヘッダは、ＴＳパケットの開始を示す符号である同期バイトや、パケットの識別に使用するＰＩＤ（packet identifier）、ＴＳパケットにおけるビットエラーの有無を示す誤りインジケータなどを有する。
【００５４】
この誤りインジケータは、ＴＳパケット内にビットエラーか存在しない場合に「０」、ＴＳパケット内にビットエラーが存在する場合に「１」の値を取る１ビットのインジケータであり、フリーズ判定部３３は、誤りインジケータが「１」であるＴＳパケットの数を計数して所定の閾値と比較することでフリーズ処理の開始や終了を判定する。
【００５５】
ここで、フリーズ処理の終了判定に用いる終了閾値ＴｈＥは、フリーズ処理の開始判定に用いる開始閾値ＴｈＳに比して低い値に設定する。したがって、図３に示すように、フリーズ状態と動画再生状態とはヒステリシスに推移することとなる。そのため、フリーズ状態が短時間に繰り返し発生することを避け、安定した再生を実現することができる。
【００５６】
このように、再生の状態がどの程度悪化した場合にフリーズ処理を開始するかが開始閾値ＴｈＳによって定まり、再生の状態がどの程度回復した場合に動画再生を再開するかが終了閾値ＴｈＥによって定まる。
【００５７】
ところで、どの程度の状態悪化でフリーズを開始するべきか、また、どの程度の状態回復でフリーズを終了するべきかは、その放送の内容によって異なる。例えば、リアルタイム性やストーリー性の高い放送では、ある程度の状態悪化が生じてもフリーズ処理に移行せずに動画再生を継続し、フリーズ後は、早急に動画再生を再開してフリーズ時間を短くすることが望ましい。一方、リアルタイム性が低い放送や画質が重要となる放送では、比較的軽度の状態悪化でフリーズ処理に移行し、状態が充分に回復した後に動画再生を再開することが望ましい。
【００５８】
そこで、デジタルテレビ受信機１は、ジャンル検知部３１によって受信した放送がどのようなジャンルの放送であるのかを検知し、検知したジャンルによって開始閾値ＴｈＳおよび終了閾値ＴｈＥの値を変更するようにしている。
【００５９】
具体的には、図４に示すように、スポーツ番組やニュース番組などは、リアルタイム性やストーリー性が高いので、終了閾値ＴｈＥを高くすることでフリーズ時間を短くする。一方、ドキュメント番組などは、リアルタイム性が低いので、終了閾値ＴｈＥを低くすることでフリーズ時間を長くする。
【００６０】
また、開始閾値ＴｈＳを低くしたならば、比較的軽度な状態悪化でフリーズ処理に移行する画質優先の処理が実現でき、開始閾値ＴｈＳを高くしたならば比較的重度の状態悪化でも動画再生を継続するリアルタイム性優先の処理が実現できる。
【００６１】
なお、ジャンル検知部３１によるジャンルの特定は、例えばデジタルＴＶデータ放送のＥＰＣ（電子番組情報）を読み出して判別してもよいし、ＭＰＥＧ２デコーダ２２の出力から映像における動きの量を検知し、この動きの量から判断してもよい。
【００６２】
つぎに、フリーズ判定部３３の処理動作について説明する。図５は、フリーズ判定部３３の処理動作を説明するフローチャートであり、デジタルテレビ受信機１が放送を受信している状態で繰り返し実行される。
【００６３】
まず、フリーズ判定部３３は、ジャンル検知部３１の出力をもとに放送内容のジャンルを特定し（ステップＳ１０１）、特定したジャンルに基づいて開始閾値ＴｈＳおよび終了閾値ＴｈＥを設定する（ステップＳ１０２）。
【００６４】
つぎに、フリーズ判定部３３は、設定した閾値ＴｈＳとエラーパケット数とを比較してフリーズ開始判定処理を実行する（ステップＳ１０３）。その結果、フリーズ開始と判定したならば（ステップＳ１０４，Ｙｅｓ）、フリーズ判定部３３は、表示制御部３４にフリーズ画面制御を開始させる（ステップＳ１０５）。
【００６５】
その後、フリーズ判定部３３は、設定した閾値ＴｈＥとエラーパケット数とを比較してフリーズ終了判定処理を実行する（ステップＳ１０６）。その結果、フリーズ終了と判定しなければ（ステップＳ１０７，Ｎｏ）、フリーズ判定部３３は、表示制御部３４にフリーズ画面制御を継続させ、再度フリーズ終了判定処理を実行する（ステップＳ１０６）。
【００６６】
一方、フリーズ終了と判定した場合（ステップＳ１０７，Ｙｅｓ）、フリーズ判定部３３は、表示制御部３４によるフリーズ画面制御を終了させ、処理を終了する。同様に、フリーズ開始と判定しなかった場合（ステップＳ１０４，Ｎｏ）にも、処理を終了する。なお、本処理フローは上述したようにループ制御されるので、処理の終了後、放送の受信が継続している場合には、再度ステップＳ１０１から処理を開始する。
【００６７】
つぎに、表示制御部３４によるフリーズ処理時の表示画面制御について説明する。表示制御部３４は、フリーズ判定部３３によってフリーズ画面制御が指示された場合には、表示画面にユーザから識別可能な変化を行わせることで、デジタルテレビ受信機１がフリーズ処理を実行中であることを通知する。
【００６８】
従って、フリーズ処理の実行中であっても、表示内容が変化し、デジタルテレビ受信機１自体は正常に稼動していること、正常な映像が表示されない理由が電波の受信状態の悪化であることをユーザに認識させることが可能となる。
【００６９】
フリーズ画面制御の具体的な内容としては、例えば正常な映像が得られているか否かに関わらず、ＳＤＲＡＭ１４に記憶した映像で強制的に表示画面の更新を実行してもよいし、また、映像を静止させて付加的な表示を行ない、この付加的な表示の内容を変化させてもよい。
【００７０】
ところで、映像を静止させる場合、表示画面の書き換え途中で静止すると、図６に示すように画面の上下で異なる映像が表示させることとなり、ユーザに違和感を生じさせる。具体的には図６では、ディスプレイ４１の上側に新規映像Ａ１が表示されているが、ディスプレイ４１の下側に前画面Ａ０が表示されており、結果として映像が上下不均衡な状態となっている。
【００７１】
このような映像の不均衡による違和感の発生を防止するため、表示制御部３４は、受信した映像が一画面分に達した場合にのみ表示する映像を更新する。
【００７２】
つぎに、フリーズ通知に用いる付加的な表示の具体例について説明する。図７では、擬似更新ライン４２を表示することで、フリーズの通知を実現している。具体的には、ディスプレイ４１にユーザから視認可能な幅を有する擬似更新ライン４２を表示し、この擬似更新ライン４２をユーザから視認可能な速度で移動させる。
【００７３】
この擬似更新ライン４２の表示および移動は、映像の更新を実施するか否かに関わらず、フリーズ処理の実行中に繰り返し実行する。また、擬似更新ライン４２は、画面の上方から下方に移動させることが好適である。
【００７４】
また、図８に示すように、電波の受信状態を表示することでフリーズ通知を実現してもよい。同図では、具体的にはディスプレイ４１にアンテナマーク４３と、電波状態インジケータ４４を表示している。
【００７５】
この電波状態インジケータ４４は、受信状態バー４５と終了閾値表示４６とを有している。受信状態バー４５は、電波の受信状態の変化を示すものであり、ユーザに視認可能な速度で変動する。
【００７６】
かかる表示を用いることで、映像の静止が電波の受信状態の悪化に起因するものであることに加え、受信状態がどの程度悪化しているのか、また、動画再生の再開までにどの程度の時間がかかるのかをユーザに認識させることが可能である。
【００７７】
さらに、図９に示すように、文字などによるメッセージの表示を行なうことでフリーズ通知を実現してもよい。同図では、ディスプレイ４１に２つのメッセージボックス４７，４８を表示し、メッセージボックス４７に「充分な電波が受信できません」とのメッセージを、メッセージボックス４８に「しばらくお待ちください」とのメッセージを表示している。
【００７８】
このメッセージの表示については、そのメッセージの内容、表示位置、表示輝度、表示色のうち、少なくとも一つをユーザから識別可能に変化させることで、デジタルテレビ受信機１が正常に動作中であることを認識させることが望ましい。
【００７９】
また、図１０に示すように、表示する映像に対して擬似ノイズをかけることでフリーズ通知を実現してもよい。デジタル放送の受信では、受信状態の悪化した場合に映像が静止するが、アナログ放送の受信では、受信状態の悪化は表示映像にノイズがのるなど、映像品質の劣化としてあらわれる。
【００８０】
擬似ノイズは、アナログ放送の受信状態が悪化した場合と同様のノイズをデジタル放送の表示映像に対してかけるものであり、アナログ放送の視聴に慣れたユーザに対して受信状態の悪化を違和感なく通知することができる。
【００８１】
ところで、フリーズ処理によって映像の再生を静止する場合、音声の再生は停止しても継続してもよい。例えば、スポーツの中継などリアルタイム性が重要な放送では、映像が静止した状態であっても音声の再生は継続することが望ましい。
【００８２】
一方、映画がドラマなど、リアルタイム性が低く、音声と映像が一致することが重要な放送内容ならば、動画再生の停止／再開に合わせて音声再生を停止／再開することが望ましい。
【００８３】
そこで、表示制御部３４は、ジャンル検知部３１によって特定されたジャンルに基づいて、フリーズ処理時にＡＡＣデコーダ１５が出力した音声の再生を停止するか継続するかを選択する。
【００８４】
上述してきたように、本実施例にかかるデジタルテレビ受信機１は、フリーズ処理の実行時の表示内容を変化させ、映像の停止が受信状態の悪化によるものであることをユーザに違和感無く認識させることで、受信装置側の動作異常が発生したとの懸念を取り除くことができる。
【００８５】
また、ジャンル検知部３１によって受信中の放送内容を特定し、放送内容に適応したフリーズ処理の開始および終了を実現できる。
【産業上の利用可能性】
【００８６】
以上のように、本発明にかかるデジタル放送受信装置は、受信電波の悪化などによるフリーズ制御に有用であり、特に、移動体用のデジタルテレビ受信機など受信状況が激しく変動する場合のフリーズ制御に有用である。
【図面の簡単な説明】
【００８７】
【図１】本発明の実施例にかかるデジタルテレビ受信機の概要構成を示す概要構成図である。
【図２】ＴＳパケットの構成を説明する説明図である。
【図３】フリーズ状態と動画再生状態との推移を説明する説明図である。
【図４】放送内容とフリーズ処理との関係を説明する説明図である。
【図５】図１に示したフリーズ判定部の処理動作を説明するフローチャートである。
【図６】フリーズ処理での画面における不均衡について説明する説明図である。
【図７】擬似更新ラインの表示によるフリーズ通知の具体例を示す図である。
【図８】電波の受信状態の表示によるフリーズ通知の具体例を示す図である。
【図９】メッセージの表示によるフリーズ通知の具体例を示す図である。
【図１０】擬似ノイズの表示によるフリーズ通知の具体例を示す図である。
【符号の説明】
【００８８】
１    デジタルテレビ受信装置
１０    アンテナ
１１    チューナ
１２    ＯＦＤＭ復調部
１３    復号処理部
１４    ＳＤＲＡＭ
１５    ＡＡＣデコーダ
１６    提示処理部
１７    Ｎｔｓｃエンコーダ
１８    ビデオＤＡＣ
１９    オーディオＤＡＣ
２１    ＴＳ−ＤｅＭＵＸ
２２    ＭＰＥＧ２デコーダ
３１    ジャンル検知部
３２    フリーズ処理部
３３    フリーズ判定部
３４    表示制御部
４１    ディスプレイ
４２    擬似更新ライン
４３    アンテナマーク
４４    電波状態インジケータ
４５    受信状態バー
４６    終了閾値表示
４７，４８    メッセージポックス
ＴｈＳ    開始閾値
ＴｈＥ    終了閾値
【図１】
2005260605.tif 000003
【図２】
2005260605.tif 000004
【図３】
2005260605.tif 000005
【図４】
2005260605.tif 000006
【図５】
2005260605.tif 000007
【図６】
2005260605.tif 000008
【図７】
2005260605.tif 000009
【図８】
2005260605.tif 000010
【図９】
2005260605.tif 000011
【図１０】
2005260605.tif 000012